(57)【要約】【課題】  軒樋を配設した軒先における下方から見上げた外観に、一体感を現出できて、見栄えを良くできるような軒樋の配設構造を提供する。【解決手段】  後壁２の下端から一枚板状の前壁３を斜め前上方に突設し、後壁２と前壁３とのなす角θを鋭角にして軒樋１を形成する。軒樋１の後壁２の少なくとも下端を鼻板４に近接させて配置する。【選択図】        図１
2005048440.tif 000002
【特許請求の範囲】
【請求項１】
後壁の下端から一枚板状の前壁を斜め前上方に突設すると共に、後壁と前壁とのなす角を鋭角にして軒樋を形成し、この軒樋の後壁の少なくとも下端を鼻板に近接させて配置したことを特徴とする軒樋の配設構造。
【請求項２】
軒樋の前壁の上下縁部に係止突起を形成すると共に、化粧カバーの上下端に係止爪を形成し、軒樋の係止突起に化粧カバーの係止爪を係止させて軒樋の前壁の前面に化粧カバーを被着したことを特徴とする請求項１記載の軒樋の配設構造。
【発明の詳細な説明】
【技術分野】
【０００１】
本発明は、軒樋の軒先への配設構造に関するものである。
【背景技術】
【０００２】
従来から軒先に沿って配設する軒樋は、一般に、断面略コ字状の角型軒樋や断面略Ｕ字状の丸型軒樋があり、建物外観を向上させるべく、建物外方に露出する軒樋の前面に化粧カバーを取り付けて装飾を施すようにしたことが知られている（たとえば、特許文献１参照）。この化粧カバーによると前方から見た建物外観には一定の向上効果が期待できる。しかしながら、軒樋が配設される軒先付近は前方から見られることよりも下方から見上げられることが多く、この角度からの軒樋の外観は、図９のように、構造的に下方に面する軒樋１の底面１ａが露呈され、軒樋１と建物とが別体であって鼻板４の前方に軒樋１が突出して配置されていることがあたかも強調されたような外観となっている。つまり、構造的に軒樋１は軒先の外観の中で一体感がなくて目立つものであり、軒先の外観に見栄えの良い一体感を感じさせる外観を現出させることはできないものであった。殊に、本来的に目立つ軒樋１に経時的な色褪せなどの傷みが現れるようになると、傷んだ軒樋１が外観に現れてしまって軒先の外観を顕著に損ねることとなる。
【特許文献１】実開平３−３７１２２号公報
【発明の開示】
【発明が解決しようとする課題】
【０００３】
本発明は上記の従来の問題点に鑑みて発明したものであって、軒樋を配設した軒先における下方から見上げた外観に、一体感を現出できて、見栄えを良くできるような軒樋の配設構造を提供することを課題とするものである。
【課題を解決するための手段】
【０００４】
上記課題を解決するために本発明に係る軒樋の配設構造は、後壁２の下端から一枚板状の前壁３を斜め前上方に突設すると共に、後壁２と前壁３とのなす角θを鋭角にして軒樋１を形成し、この軒樋１の後壁２の少なくとも下端を鼻板４に近接させて配置したことを特徴とする。これによると、軒先に配設した軒樋１は、鼻板４に近接した部分から斜め前上方に一枚板状の前壁３が突出しているのであり、この軒樋１が配設された軒先付近を下方から見上げた際には、軒樋１の後壁２はその下端のみ露出されて軒樋１の前壁３が鼻板４に連続するように見え、更には、斜め前下方に向いた軒樋１の前壁３が斜め前下方に向くタイプの鼻板４´の前面のようにも見えることから、軒樋１を配設した軒先における下方から見上げた外観に、一体感を現出できて見栄えを良くできるのである。
【０００５】
また、軒樋１の前壁３の上下縁部に係止突起５を形成すると共に、化粧カバー６の上下端に係止爪７を形成し、軒樋１の係止突起５に化粧カバー６の係止爪７を係止させて軒樋１の前壁３の前面に化粧カバー６を被着したことも好ましい。これによると、軒先を下方から見上げたときには軒樋１は略前壁３のみが見えるようになっているが、この前壁３に化粧カバー６を被着したので、軒先の外観を更に向上させることができる。また、この化粧カバー６の軒樋１の前壁３への被着は軒樋１の係止突起５への化粧カバー６の係止爪７の係止によって施工性よく行うことができる。
【発明の効果】
【０００６】
本発明は、叙述したように、後壁の下端から一枚板状の前壁を斜め前上方に突設すると共に、後壁と前壁とのなす角を鋭角にして軒樋を形成し、この軒樋の後壁の少なくとも下端を鼻板に近接させて配置したので、軒樋が配設された軒先付近を下方から見上げた際には、軒樋の後壁はその下端のみ露出されて軒樋の前壁が鼻板に連続するように見え、更には、斜め前下方に向いた軒樋の前壁が斜め前下方に向くタイプの鼻板の前面のようにも見えることから、鼻板にも似た軒樋は軒先の外観に違和感なく溶け込み、軒樋を配設した軒先における下方から見上げた外観に一体感を現出できて見栄えを良くできるのである。
【発明を実施するための最良の形態】
【０００７】
本例の軒樋１は、図２のように、略垂直に立ち上がる板状の後壁２の下端から斜め前上方に一枚板状の前壁３を突設させた断面レ字状の軒樋１である。詳しくは、後壁２及び前壁３は水平方向に伸びる長板状のものであり、後壁２の上縁には長さ方向に亙って後耳部８が形成されると共に、前壁３の上縁には長さ方向に亙って前耳部９が形成されている。後壁２と前壁３とのなす角θは鋭角になるように形成されている。前壁３が連結される後壁２の下端には長手方向に亙って下係止突起５ａが垂直下方に突設されている。前壁３の上縁には長手方向に亙って上係止突起５ｂが設けられている。この上係止突起５ｂは前壁３の後壁２からの突出方向（すなわち前壁３の延長面方向）に向けて前壁３の上縁に突設されている。なお、上係止突起５ｂや下係止突起５ａは、後述する化粧カバー６を係止させて化粧カバー６を前壁３の前面に被着させる役割を担っているのであるが、垂直下方に突設された下係止突起５ａにあっては、軒樋１に化粧カバー６を装着しない場合に軒樋１の外面に付着した雨水を軒樋１から滴り落とす水切りの役割をも担っている。
【０００８】
本例の軒先は、図３のように、垂木１０に屋根下地１１、屋根材１２が防水シート及び軒先水切り１３を介して積層され、軒天井材１４及び垂木１０の前面に垂直板状の鼻板４が水平方向に亙って取り付けられて構成されている。そして、この軒先には上記軒樋１が配設されるのであるが、これは軒樋吊り具１５を介して行われる。軒樋吊り具１５は、鼻板４の前面に固定する基部１５ａからアーム１５ｂを前方に突設し、アーム１５ｂの前端に前耳係合部１６を設けると共にアーム１５ｂと基部１５ａの境界部分に後耳係合部１７を設けたものであり、軒先における鼻板４の前面に釘等の固定具を介して基部１５ａを固定し、前耳係合部１６を軒樋１の前耳部９に係合させると共に後耳係合部１７を軒樋１の後耳部８に係合させることで軒樋１を吊持し、鼻板４の前面に沿って軒樋１を配設している。詳しくは、軒先に配置された軒樋１は、その後壁２が鼻板４の前面に近接するように配置されると共に、後壁２の下端部が鼻板４の下端よりも下方に配置され、また、前壁３の上端が屋根材１２よりも前方の位置で且つ屋根材１２の略勾配線上の位置に配置されている。
【０００９】
このような軒先への軒樋の配設構造は、鼻板４に近接した部分から斜め前上方に一枚板状の前壁３が突出しているのであり、軒先付近を下方から見上げた際には、図１のように、軒樋１の後壁２はその下端のみ露出されて軒樋１の前壁３が鼻板４に連続するように見え、更には、斜め前下方に向いた軒樋１の前壁３が斜め前下方に向く鼻板４´の前面（図８参照）のようにも見えることから、鼻板４にも似た軒樋１は軒先の外観に違和感なく溶け込むものであり、つまり、軒樋１を配設した軒先における下方から見上げた外観に一体感を現出できたものであり、軒樋１が目立ってしまう従来の軒先の外観に比べて各段にその見栄えも良くできたものである。
【００１０】
なお、本例の軒樋１を長さ方向に連続して接続するには、図４，５のように、軒樋１に外側（軒樋１の下方側）から被着する外嵌め式の軒樋継手１８を用いて行われる。この軒樋継手１８は、軒樋１同様に略レ字状の断面形状を有した屈曲帯状の部材であり、その内面が軒樋１の外面に隙間無く当接できるように軒樋１より一回り大きく形成されている。なお、軒樋継手１８の前壁１９の上端には軒樋１の上係止突起５ｂに引掛け係止させる前係止部２１が形成されており、軒樋継手１８の後壁２０の上端には軒樋１の後耳部８に引掛け係止させる後係止部２２が形成されている。そして、この軒樋継手１８を用いて軒樋１を長さ方向に連続して接続するには、対向する一対の軒樋１の長さ方向の端面同士を突き合わせ、この一対の軒樋１の突き合わせ部分（継ぎ目）に合わせて外側から軒樋継手１８を各軒樋１にわたすように配置し、前係止部２１を軒樋１の上係止突起５ｂに引掛け係止させると共に後係止部２２を軒樋１の後耳部８に引掛け係止させ、軒樋継手１８を軒樋１の外面に被着させることで施工性よく行われる。なお、このときには軒樋継手１８の内面は軒樋１の外面に隙間無く当接されて、接続した一対の軒樋１及び軒樋継手１８の間に水密構造が形成され、接続した一対の軒樋１及び軒樋継手１８の間から水漏れなど生じさせないようにされている。また、外側から軒樋１に嵌められた軒樋継手１８は、接続した一対の軒樋１の継ぎ目を外側に現出させないように隠すものであるから外観の低下も防止されている。
【００１１】
また、本例の軒樋１には、図６，７のように、適宜その前壁３の前面に化粧カバー６を被着させて、外観向上を図ってもよい。本例の化粧カバー６は、搬送や収納に便利なように通常はコイル状に巻き付けてあり、使用時に板状に延ばして使用される帯板状のアルミ材であり、軒先一面分に連続して被着させることを想定してその長さ寸法が１０ｍ以上に設定されたものを用いている。この左右に長い化粧カバー６の上下寸法は軒樋１の前壁３の上下寸法と略同じかそれ以上に形成されており、化粧カバー６の上下端には軒樋１の係止突起５に係止させる係止爪７が形成されている。詳しくは、化粧カバー６の下端縁には長さ方向に亙って下係止爪７ａが形成されている。この下係止爪７ａは、軒樋１の下係止突起５ａに係止される部位であり、軒樋１に軒樋継手１８が被着された場合には軒樋継手１８における下係止突起５ａを覆った部位に係止される部位である。また、化粧カバー６の上端縁には軒樋１の上係止突起５ｂに係止させる上係止爪７ｂが所定間隔をおいて複数形成されている。
【００１２】
この化粧カバー６を軒樋１に取付けるには、軒樋１の下係止突起５ａに化粧カバー６の下係止爪７ａを係止させ、軒樋１の上係止突起５ｂに化粧カバー６の複数の上係止爪７ｂを順に係止させていくことで、施工性よく行われる。なお、軒樋継手１８が被着された部位では、化粧カバー６の下係止爪７ａを軒樋継手１８における下係止突起５ａを覆った部位に係止させるようにして行われる。このようにして軒樋１に取付けた化粧カバー６は、軒樋継手１８の前壁１９の前面及び軒樋１の前壁３の前面に積層させるように被着される。そもそも本例の軒樋１は上述したように下方から見た軒先の外観に略前壁３の前面のみを現出させるものであるから、軒樋１の前壁３の前面に化粧カバー６が被着されると、下方から見た軒先の外観に略化粧カバー６だけが露出されるようになり、軒先の外観を更に向上させることができる。更に言うと、本例の化粧カバー６は軒樋継手１８の前壁１９の前面をも覆い隠すように軒樋１の前壁３の前面に被着されるから、軒樋継手１８も外観に露出されることがなくて軒樋１の継ぎ目のない連続した外観を現出させることができ、この点でも軒先の外観の向上が更に図られているのである。
【図面の簡単な説明】
【００１３】
【図１】本発明の実施の形態の例の下方から見た軒先の外観を示す斜視図である。
【図２】同上の軒樋の斜視図である。
【図３】同上の軒樋を軒先に配設した状態の側断面図である。
【図４】同上の軒樋継手にて接続した軒樋の斜視図である。
【図５】同上の軒樋継手にて接続した軒樋を軒先に配設した状態の側断面図である。
【図６】同上の化粧カバーの軒樋への取付施工を示す説明図である。
【図７】同上の軒樋に化粧カバーを被着した状態の側断面図である。
【図８】本発明と比較する一般的な軒先を示す側断面図である。
【図９】従来技術の下方から見た軒先の外観を示す斜視図である。
【符号の説明】
【００１４】
１  軒樋
２  後壁
３  前壁
４  鼻板
５  係止突起
６  化粧カバー
７  係止爪
１５  軒樋吊り具
１８  軒樋継手
θ  なす角
【図１】
2005048440.tif 000003
【図２】
2005048440.tif 000004
【図３】
2005048440.tif 000005
【図４】
2005048440.tif 000006
【図５】
2005048440.tif 000007
【図６】
2005048440.tif 000008
【図７】
2005048440.tif 000009
【図８】
2005048440.tif 000010
【図９】
2005048440.tif 000011